【手続補正書】
【提出日】平成21年4月10日(2009.4.10)
【手続補正１】
【補正対象書類名】明細書
【補正対象項目名】全文
【補正方法】変更
【補正の内容】
【書類名】明細書
【発明の名称】乗用田植機
【特許請求の範囲】
【請求項１】  後部に苗植付け装置を駆動昇降可能に連結した走行機体の前端部に、前方に突出した作用姿勢と、起立した格納姿勢とに切換え揺動可能な押え込み用アームを装備した乗用田植機において、
前記押え込み用アームに植付け作業用の報知事項を表示するモニタを備え、前記押え込み用アームを起立した状態において、前記モニタを運転席から目視可能に構成してあることを特徴とする乗用田植機。
【請求項２】  前記走行機体のステアリングハンドルを、前記走行機体の前方に向けて倒し可能に構成してある請求項１記載の乗用田植機。
【請求項３】  格納した前記押え込み用アームの先端部が、前記ステアリングハンドルの下方にもぐり込むよう構成してある請求項２記載の乗用田植機。
【発明の詳細な説明】
【０００１】
【発明の属する技術分野】
本発明は、比較的小型の乗用田植機に関する。
【０００２】
【従来の技術】
小型の乗用田植機は、前後車輪間隔が小さいので隆起を乗り越える際に走行機体がピッチング方向に大きく傾斜しやすくなる。そこで、畦越え時には、作業者が地上に降りて走行機体を操縦することになる。この場合、走行機体の前部が浮上るおそれがあるので、これを補うために、走行機体の前端部に、前方に突出した作用姿勢と、起立した格納姿勢とに切換え揺動可能な押え込み用アームを装備し、作用姿勢に倒伏させた押え込み用アームを作業者が押え込むことで、走行機体の前部の浮上りを抑えながら前進走行させるようにした乗用田植機が実用化されている。
【０００３】
【発明が解決しようとする課題】
現在実用化されている上記乗用田植機では、押え込み用アームは畦越え走行時に走行機体の前部の浮上りを阻止するためだけに使用される専用の部材であり、その使用頻度は少ないものであった。
【０００４】
本発明は、このような点に着目してなされたものであって、押え込み用アームの機能を高めてより使い勝手のよいものにすることを主たる目的とする。
【０００５】
【課題を解決するための手段】
〔請求項１に係る発明の構成、および、作用、効果〕
【０００６】
請求項１に係る発明は、後部に苗植付け装置を駆動昇降可能に連結した走行機体の前端部に、前方に突出した作用姿勢と、起立した格納姿勢とに切換え揺動可能な押え込み用アームを装備した乗用田植機において、前記押え込み用アームに植付け作業用の報知事項を表示するモニタを備え、前記押え込み用アームを起立した状態において、前記モニタを運転席から目視可能に構成してあることを特徴とする。
【０００７】
上記構成によると、押え込み用アームは走行機体の前端部で起立するので、この押え込み用アームに装着したモニタは、運転席に着座した作業者からは前方視界の中に入っており、操縦パネルに備えられていた従来のモニタのように、目線を落とさなくても、運転姿勢のままで容易に視認することができる。
【０００８】
従って、請求項１の発明によると、押え込み用アームを、本来の機能のみならず、視認しやすいモニタの支持部材としても利用でき、一層使い勝手のよい乗用田植機を構成することができた。
【０００９】
〔請求項２に係る発明の構成、および、作用、効果〕
【００１０】
請求項２に係る発明は、請求項１記載の発明において、前記走行機体のステアリングハンドルを、前記走行機体の前方に向けて倒し可能に構成してある。
【００１１】
上記構成によると、倒し可能なステアリングハンドルは、前方へ倒すことで運転部への乗降が容易になるとともに、押え込み用アームを前方に倒して地上から使用する場合に、ステアリングハンドルを前方へ倒しておくことで、地上の作業者が走行機体の前方からでもステアリングハンドルを操作することができる。
【００１２】
従って、請求項２の発明によると、畦越え走行などにおいて、地上の作業者が押え込み用アームを使って走行機体の前部の浮上りを阻止できるとともに、走行機体の前方からでもステアリングハンドルの操作によって細かい操縦を行うことができ、圃場への出入りやトラックの荷台への積み降ろしを一層容易に行えるようになった。
【００１３】
〔請求項３に係る発明の構成、および、作用、効果〕
【００１４】
請求項３に係る発明は、請求項２記載の発明において、格納した押え込み用アームの先端部が、前記ステアリングハンドルの下方にもぐり込むよう構成してある。
【００１５】
上記構成によると、格納した押え込み用アームは走行機体の前部のボンネットなどに沿った姿勢となり、他物に引っ掛けたりぶつけたりすることのない状態にコンパクトに格納でき、走行機体をガレージや運搬車両の荷台などに格納管理する上で有効となる。
【００１６】
【００１７】
【００１８】
【００１９】
【００２０】
【００２１】
【００２２】
【発明の実施の形態】
図１に本発明に係る乗用田植機の全体側面が、また、図２にその全体平面がそれぞれ示されている。この乗用田植機は、操向自在な前輪１と操向不能な後輪２を備えた４輪駆動型の走行機体３の後部に、油圧シリンダ４によって駆動される昇降リンク機構５を介して４条植え仕様の苗植付け装置６が昇降自在に連結された構造となっている。
【００２３】
前記走行機体３の前部にはエンジン７が搭載され、このエンジン７の出力が、伝動ベルト８を介して静油圧式無段変速装置（ＨＳＴ）からなる主変速装置９に伝達されて変速された後、前輪１を軸支したミッションケース１０に入力され、ミッションケース１０内で走行系と植付け作業系に分岐されるようになっている。そして、走行系の動力は左右の前輪１に伝達されるとともに、ミッションケース１０の後部から後方に延出した左右の後輪伝動ケース１１を介して左右の後輪２に伝達され、また、ミッションケース１０内で分岐された植付け作業系の動力は、伝動軸１２を介して前記苗植付け装置６に入力されるようになっている。なお、図示しないが、左右の前輪１はデフ装置を介して駆動されるとともに、左右の後輪２はサイドクラッチを介して駆動されるようになっている。また、左右の後輪伝動ケース１１はダンパ１３を介して独立的に上下揺動可能に支持されている。
【００２４】
苗植付け装置６は、前記昇降リンク機構５の後端下部にローリング自在に連結されており、角パイプ状の横長フレーム２１、前記伝動軸１２から植付け作業系の動力を受けるフィードケース２２、苗を載置して一定ストロークで往復横移動する苗のせ台２３、横長フレーム２１から後ろ向き片持ち状に延出された左右一対の植付けケース２４、各植付けケース２４の後端部左右に装備されたロータリ式の植付け機構２５、田面の植付け予定箇所を均平化する３個の整地フロート２６、次行程の走行基準線を田面に引っ掻き形成してゆく起伏自在な左右一対の線引きマーカ２７、等を備えている。
【００２５】
そして、一定ストロークで往復横送りされる苗のせ台２３には、ストロークエンドに到達するごとに載置した苗を苗のせ台２３下端の苗取出し口にまで縦送りする苗縦送りベルト２８が装備されている。また、苗のせ台２３の左右両端上部にはランプ２９が設けられており、このランプ２９は、道路走行時にはウインカランプとして使用することができるとともに、植付け作業時には、苗のせ台２３の苗の残量が設定量以下にまで減少した際に両ランプ２９が点滅して、機外の圃場作業者にも苗切れを報知して、苗補給の準備を促すようになっている。
【００２６】
走行機体３の前端部には、パイプ材をアーチ形に屈曲して形成した押え込み用アーム３１がその基端部の支点ａを中心に前後に起伏揺動可能に装着されている。この押え込み用アーム３１は、センターマスコット３０を越えて前方へ大きく突出する作用姿勢と、走行機体３の前部のボンネット１３に略沿った姿勢に起立する格納姿勢とに亘る一定範囲で起伏揺動可能に枢支されるとともに、その枢支基部に与えられた摩擦によって任意の揺動位置で摩擦保持することも可能となっている。また、押え込み用アーム３１を大きく前方に倒して作用姿勢にすると、前輪１のステアリング操作機構が中立状態に弾性的に保持されて、直進が維持されるようになっている。
【００２７】
押え込み用アーム３１の上端近くにはモニタ３２が取付けられている。このモニタ３２の表示面は後方に向かうようになっており、その表示面に苗のせ台２３での苗残量が設定量以下にまで少なくなったことを報知する苗切れ警報ランプ３３、植付けクラッチ入れ忘れ警報ランプ３４、などの植付け作業中に利用される警報ランプ類と、エンジン停止スイッチ３５、苗植付け装置６を昇降操作するための操作具としての昇降スイッチ３６、ホーンスイッチ３７、などの地上操縦時に利用する操作具類が装備されている。
【００２８】
走行機体３におけるボンネット１３の後方に配備されたステアリングハンドル１４は、前後にチルト可能に構成されており、図１中および図３に示す、やや後傾した通常の乗用操作位置と、図１，５中の仮想線で示すように、前方に倒れた姿勢とに切換え可能となっている。また、格納姿勢の押え込み用アーム３１の上端はステアリングハンドル１４の下方にもぐり込むようになっており、特に、格納姿勢の押え込み用アーム３１は前方に倒したステアリングハンドル１４に干渉するようになっている。
【００２９】
本発明の乗用田植機は以上のように構成されており、通常の植付け走行時には、作業者は走行機体３の運転席１５に着座して走行機体３の操縦を行うのであるが、この場合、押え込み用アーム３１を格納姿勢より少し前方に揺動させて前方視界内に入れるとともに、モニタ３２の表示面を後方に向けることで、着座姿勢の作業者が目線を大きく動かさなくてもモニタ３２を容易に目視する状態で運転することができる。
【００３０】
また、畦越えや運搬車両の荷台への乗用田植機の積み下ろしなどにおいては、走行機体３を微速で走行させながら作業者は地上に降りて操縦することになり、この場合、押え込み用アーム３１を前方に大きく倒して作用姿勢にするとともに、ステアリングハンドル１４を大きく前方に倒しておく。そして、地上の作業者が押え込み用アーム３１を押え込むことで、走行機体３の前部が浮上るのを阻止することができるとともに、ステアリングハンドル１４を弾性中立保持力に抗して操作することで、地上から前輪１を操向操作して軌道修正を行うことができるのである。
【００３１】
また、地上からの操縦中に、苗植付け装置６が地面にぶつかりそうになったり、走行機体３のバランスが崩れかけたりすると、昇降スイッチ３６を操作して苗植付け装置６を任意に上昇あるいは下降させることができる。また、ホーンスイッチ３７を操作することで、周囲の人に注意を喚起することができ、さらに、直ちに走行機体３を停止したいような場合にはエンジン停止スイッチ３５を操作すればよい。
【００３２】
〔別実施形態〕
（１）施肥装置を搭載する仕様のものでは、前記モニタ３２に肥料切れ警報ランプを装備しておくとよい。
（２）走行機体３の左右方向の傾斜角度を前記モニタ３２で表示して、搭乗運転中に走行機体３の左右傾斜状態を把握できるようにしておくと便利である。
【図面の簡単な説明】
【図１】
乗用田植機の全体側面図
【図２】
乗用田植機の全体平面図
【図３】
植付け走行時の走行機体の前部を示す側面図
【図４】
モニタの正面図
【図５】
地上からの操縦時の走行機体の前部を示す側面図
【符号の説明】
３            走行機体
６            苗植付け装置
１４          ステアリングハンドル
１５          運転席
３１          押え込み用アーム
３２          モニタ